(57)【要約】【課題】アンテナが金属製の筐体の内部に収容されていても、アンテナの通信品質の改善を容易に行うことができる照明制御装置を提供する。【解決手段】照明制御装置１０は、第１方向に伸びる第１スリットＳ１と、第１方向と異なる方向に伸びる第２スリットＳ２とが、上壁面２８に形成された金属製の筐体２２と、筐体２２の内部に収容され、回動可能に設けられるアンテナ１４と、アンテナ１４で受信した外部信号に基づいて光源の動作状態を制御する制御部とを備える。アンテナ１４は、第１スリットＳ１に対向する第１位置と、第２スリットＳ２に対向する第２位置とに回動可能である。【選択図】図２
2018195994.tif 000002
【特許請求の範囲】
【請求項１】
第１方向に伸びる第１スリットと、前記第１方向と異なる方向に伸びる第２スリットとが、外壁面に形成された金属製の筐体と、
前記筐体の内部に収容され、回動可能に設けられるアンテナと、
前記アンテナで受信した外部信号に基づいて光源の動作状態を制御する制御部と、を備え、
前記アンテナは、前記第１スリットに対向する第１位置と、前記第２スリットに対向する第２位置とに回動可能である、
照明制御装置。
【請求項２】
前記アンテナは励振方向を有し、前記アンテナが前記第１位置に配置されたとき前記励振方向が前記第１方向に対して投影面上で直交し、前記アンテナが前記第２位置に配置されたとき前記励振方向が前記第２方向に対して投影面上で直交する関係にある、請求項１に記載の照明制御装置。
【請求項３】
前記アンテナに電気的に接続された無線部をさらに備え、前記無線部は前記アンテナと共に回動する、請求項１または２に記載の照明制御装置。
【請求項４】
前記アンテナは取付部材に取り付けられ、前記取付部材は前記筐体に対して回動可能に支持された回動軸を有する、請求項１〜３のいずれか一項に記載の照明制御装置。
【請求項５】
前記アンテナを回動させる操作子が前記筐体の外部に設けられている、請求項１〜４のいずれか一項に記載の照明制御装置。
【請求項６】
前記第２スリットは前記第２方向に沿った第１直線部と前記第２方向から屈曲して延伸する第２直線部とを含む、請求項１〜５のいずれか一項に記載の照明制御装置。
【請求項７】
前記第１スリットおよび前記第２スリットは、前記筐体の同じ外壁面に形成されている、請求項１〜６のいずれか一項に記載の照明制御装置。
【請求項８】
前記第２スリットは、前記第１スリットが形成された前記筐体の外壁面と、これとは異なる外壁面とに跨って形成されている、請求項１〜６のいずれか一項に記載の照明制御装置。
【請求項９】
前記筐体は互いに対向する一対の外壁面を有し、前記第１スリットおよび前記第２スリットは前記一対の外壁面にそれぞれ形成されている、請求項１〜７のいずれか一項に記載の照明制御装置。
【請求項１０】
前記一対の外壁面の一方に形成された前記第１スリットおよび前記第２スリットと、前記一対の外壁面の他方に形成された前記第１スリットおよび前記第２スリットとは、投影面上で互いにずれた位置に形成されている、請求項９に記載の照明制御装置。
【請求項１１】
請求項１〜１０のいずれか一項に記載の照明制御装置と、
前記照明制御装置によって動作状態が制御される光源とを備えた、照明器具。
【発明の詳細な説明】
【技術分野】
【０００１】
本開示は、照明制御装置およびこれを備えた照明器具に関する。
【背景技術】
【０００２】
従来、リモートコントローラからワイヤレスで信号を受信し、この信号に基づいて照明器具の点灯、消灯、調光等を制御する照明システムが知られている。
【０００３】
例えば、特許文献１には、このような照明システムに用いられる照明制御装置が開示されている。この照明制御装置は、第１の位置における電界レベルと電界レベルが異なる第２の位置へ変位可能である可動部を有する筐体と、可動部の筐体内側の部位に固定されるアンテナと、アンテナと接続され、アンテナを介して送信された信号に基づいて照明器具の制御ユニットの状態を制御する制御部とを備えている。この構成によれば、照明制御装置が筐体内部に具備するアンテナの電界レベルを調整することが容易になると記載されている。
【先行技術文献】
【特許文献】
【０００４】
【特許文献１】特開２００７−２８７６７９号公報
【発明の概要】
【発明が解決しようとする課題】
【０００５】
上記特許文献１の照明制御装置では、少なくとも一部がプラスチックなどの誘電体で形成されている筐体の内部においてアンテナをスライド移動や回動させることによって、アンテナの電界レベルを調整している。
【０００６】
しかしながら、照明制御装置において、金属製の筐体の内部にアンテナが収容されることがある。この場合、無線による電波が金属製の筐体の外表面で反射されて筐体内部に届かないため、筐体内部でアンテナを変位させても通信品質を改善できないという問題がある。
【０００７】
本開示の目的は、アンテナが金属製の筐体の内部に収容されていても、アンテナの通信品質の改善を容易に行うことができる照明制御装置を提供することにある。
【課題を解決するための手段】
【０００８】
本開示に係る照明制御装置は、第１方向に伸びる第１スリットと、前記第１方向と異なる方向に伸びる第２スリットとが、外壁面に形成された金属製の筐体と、前記筐体の内部に収容され、回動可能に設けられるアンテナと、前記アンテナで受信した外部信号に基づいて光源の動作状態を制御する制御部とを備える。前記アンテナは、前記第１スリットに対向する第１位置と、前記第２スリットに対向する第２位置とに回動可能である。
【発明の効果】
【０００９】
本開示に係る照明制御装置によれば、アンテナが金属製の筐体の内部に収容されていても、アンテナの通信品質の改善を容易に行うことができる。
【図面の簡単な説明】
【００１０】
【図１】一実施形態である照明制御装置を含む照明システムの概略構成図である。
【図２】照明制御装置の斜視図である。
【図３】アンテナを含む無線モジュールの（ａ）上面図および（ｂ）正面図である。
【図４】（ａ）は無線モジュールを第１スリットに対応する第１位置に配置した状態を示す図、（ｂ）は無線モジュールを第２スリットに対応する第２位置に配置した状態を示す図である。
【図５】第１スリット使用時と第２スリット使用時のアンテナ水平面およびアンテナ垂直面における電波強度を示す図である。
【図６】金属製の梁がある天井に設置された照明制御装置において、（ａ）はアンテナが第１位置に配置されているときの電波強度との関係を示す図であり、（ｂ）はアンテナが第２位置に配置されたときの電波強度との関係を示す図である。
【図７Ａ】照明制御装置の筐体の上壁面に３本のスリットが形成された変形例を示す図である。
【図７Ｂ】照明制御装置の筐体の上壁面と下壁面に２本のスリットが異なる位置関係で形成された変形例を示す図である。
【図８】第２スリットが照明制御装置の筐体の上壁面から側壁面へと跨って形成されている例を示す部分斜視図である。
【図９】照明制御装置が一体に設けられた照明器具を示す下面図である。
【図１０】図９の照明制御装置の上壁面に、（ａ）４本のスリットが形成された例を示す図であり、（ｂ）は第２スリットが略Ｕ字状に屈曲して形成されている例を示す図である。
【図１１】照明制御装置が一体に設けられた照明器具において、照明制御装置の側壁面に２本のスリットが形成されている例を示す図である。
【発明を実施するための形態】
【００１１】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１２】
図１は、一実施形態である照明制御装置を含む照明システム１の概略構成図である。
【００１３】
照明システム１は、リモートコントローラ２、照明制御装置１０（１），１０（２），・・・，１０（ｎ−１），１０（ｎ）、および、照明器具Ｌ１，Ｌ２，・・・，Ｌｎ−１，Ｌｎを備える。ここで、ｎは４以上の整数である。
【００１４】
各照明制御装置１０（１），１０（２），・・・，１０（ｎ−１），１０（ｎ）は、照明器具Ｌ１，Ｌ２，・・・，Ｌｎ−１，Ｌｎに電線１２によってそれぞれ接続されている。各照明制御装置１０（１），１０（２），・・・，１０（ｎ−１），１０（ｎ）は、同一構成を有することができる。そのため、以下では単に「照明制御装置１０」という。同様に、照明器具Ｌ１，Ｌ２，・・・，Ｌｎ−１，Ｌｎについても、単に「照明器具Ｌ」という。なお、照明制御装置１０は、照明器具Ｌと別体に構成されてもよいし、あるいは、照明器具Ｌと組み合わされて一体の物として構成されてもよい。
【００１５】
照明器具Ｌは、例えば、ＬＥＤ（Ｌｉｇｈｔ  Ｅｍｉｔｔｉｎｇ  Ｄｉｏｄｅ）等の発光素子を含む光源を有する。光源は、照明制御装置１０から電線１２を介して供給される電力（例えば、直流電力）によって点灯し、該電力が遮断されることによって消灯する。また、照明制御装置１０は、照明器具に供給する電力（例えば、直流電流）を調整することができ、これにより光源の発光強度を調節（すなわち調光）することができる。
【００１６】
なお、光源を構成する発光素子は、ＬＥＤに限定されるものではなく、例えば、有機ＥＬ（Ｅｌｅｃｔｒｏ  Ｌｕｍｉｎｅｓｃｅｎｃｅ）もしくは無機ＥＬなどのＥＬ素子、あるいは、半導体レーザ素子などであってもよい。
【００１７】
照明制御装置１０は、アンテナ１４、無線部１６、および、制御部１８を備える。後述するように、アンテナ１４および無線部１６は、回路基板上に一体に実装されて、互いに電気的に接続されている。また、無線部１６は、電線または配線１７を介して、筐体２２の内部に収容された制御部１８に電気的に接続されている。
【００１８】
リモートコントローラ２は、照明制御装置１０がどのように照明器具Ｌを制御するか（例えば、調光レベルなど）を設定するための設定信号（外部信号）を無線により照明制御装置１０に送信する。リモートコントローラ２は、建物の壁などに設置された固定型スイッチであってもよいし、あるいは、例えばスマートフォンやタブレット等の携帯端末であってもよい。
【００１９】
照明制御装置１０において、アンテナ１４は、例えば逆Ｆ型アンテナやチップアンテナで構成できる。アンテナ１４は、リモートコントローラ２が送信する電波を受信し、受信した電波を無線部１６に入力する。
【００２０】
無線部１６は、アンテナ１４から入力された電波から設定信号を抽出し、抽出した設定信号を電線または配線１７を介して制御部１８に入力する。
【００２１】
制御部１８は、無線部１６から入力された設定信号を基に、照明器具Ｌの動作状態を制御する。具体的には、制御部１８は、例えば、設定信号で示された調光レベルなどに合わせて、照明器具Ｌの動作状態を制御する調光制御を行ったり、照明器具Ｌを点滅、点灯、消灯したりする。
【００２２】
図示していないが、制御部１８は、プログラムを実行するＣＰＵなどの処理部、メモリ（例えば、ＲＡＭ、ＲＯＭ、フラッシュメモリなど）、磁気ディスク装置などの記憶部を含んで構成されてもよい。処理部は、バスを介して記憶部、及びその他の各部と接続され、各部を制御する。記憶部は、データや信号を記憶する。データや信号は、バスや信号線やケーブルその他の伝送媒体により伝送される。
【００２３】
制御部１８などは、ＲＯＭに記憶されたソフトウェアで実現されていても構わないし、るいは、素子・デバイス・基板・配線などのハードウェアのみ、あるいは、ソフトウェアとハードウェアとの組み合わせで実現されていても良い。ソフトウェアは、プログラムとして、記憶部に記憶される。このプログラムはＣＰＵにより読み出され、ＣＰＵにより実行される。
【００２４】
次に、図２以降を参照して、本実施形態の照明制御装置１０について詳細に説明する。図２は、照明制御装置１０の斜視図である。図３は、アンテナ１４を含む無線モジュール２０の（ａ）上面図および（ｂ）正面図である。図２および図３において、互いに直交する三方向が３つの矢印Ｘ，Ｙ，Ｚで示されている。
【００２５】
図２に示すように、照明制御装置１０は、金属製の筐体２２を備える。本実施形態では、筐体２２は、下方が開口した扁平直方体状の上側筐体部２４と、前記開口を塞ぐように配置された底板２６とによって構成される。
【００２６】
底板２６は、金属板によって形成され、筐体２２の下壁面を構成する。底板２６の長手方向両端部は、下方に向かってそれぞれＬ字状をなして外側に折り曲げられて、取付部２７となっている。これらの取付部２７が例えば天井材の上面にねじ等を用いて固定されることで、照明制御装置１０が設置される。
【００２７】
上側筐体部２４は、平面視で長方形状をなす上壁面２８と、上壁面２８の四辺縁部から垂下する４つの側壁面３０，３２，３４，３６とを有する。上側筐体部２４は、金属板を曲げ加工、あるいは、絞り加工等することによって形成されている。上側筐体部２４の上壁面２８および４つの側壁面３０，３２，３４，３６と、底板２６とが、筐体２２の外壁面を構成している。
【００２８】
上側筐体部２４の上壁面２８は、底板２６に対向している。また、上側筐体部２４において、一対の側壁面３０，３２が筐体２２の長手方向において互いに対向し、一対の側壁面３４，３６が筐体２２の短手方向において互いに対向している。
【００２９】
上側筐体部２４の側壁面３０には、矩形状の開口部３１が形成されている。この開口部３１を介して電線等を筐体２２の内部から導出して、照明器具Ｌや外部電源（例えば、商用電源等）などに接続することができる。
【００３０】
筐体２２の内部には、無線モジュール２０が収容されている。図３に示すように、無線モジュール２０は、取付部材４０、回路基板４２、および、カバー４４を備える。取付部材４０は、例えば、樹脂部品によって構成される。取付部材４０は、回路基板４２を筐体２２に取り付けるための部材である。
【００３１】
取付部材４０は、脚部４６と、本体部４８と、固定部５０とを有する。脚部４６は、取付部材４０の幅方向（Ｘ方向）両側の下部にそれぞれ設けられている。この脚部４６が筐体２２の底板２６上に載置されることで、無線モジュール２０が筐体２２の内部に配置される。
【００３２】
取付部材４０の本体部４８は、図３（ｂ）に示すように、正面視で長方形状をなし、上記２つの脚部４６上に立設されている。筐体２２の底板２６が水平面をなすとき、底板２６上に脚部４６が載置された取付部材４０は、本体部４８が鉛直方向に沿った姿勢で配置される。すなわち、本体部４８は、脚部４６に対して垂直に立設されている。
【００３３】
本体部４８には、例えば、幅方向（Ｘ方向）に長い長方形状をなす開口部４９が形成されている。開口部４９内には、回路基板４２が配置されている。本実施形態における回路基板４２は、平面視で例えば長方形状に形成されている。回路基板４２は、例えば、樹脂板によって構成される。
【００３４】
回路基板４２は、本体部４８の一方側表面から一端部が突出した状態で配置される。この突出した回路基板４２の一端部上に、アンテナ１４が実装されている。アンテナ１４が逆Ｆ型アンテナである場合、アンテナ１４は回路基板４２上に形成されたパターン配線によって構成できる。本実施形態では、アンテナ１４は、図３（ａ）に示すように、平面視で幅方向（Ｘ方向）に長い長方形状の領域を占めている。このアンテナ領域は長辺方向と短辺方向とを有し、短辺方向に沿う方向（すなわち長辺方向の垂直方向）がアンテナ１４の励振方向ＲＤとなっている。
【００３５】
回路基板４２は、本体部４８に連結された固定部５０上に載置された状態で固定されている。回路基板４２は、例えば、ねじ等を用いて固定部５０に固定されている。固定部５０は、回路基板４２の一端部（すなわちアンテナ１４が形成されている端部）が突出した側とは反対側において本体部４８から延出している。
【００３６】
本実施形態では、固定部５０は、本体部４８に対して垂直に延出している。これにより、固定部５０上に配置された回路基板４２の上面（すなわちアンテナ１４が形成された表面）は、水平面に沿った筐体２２の底板２６上に取付部材４０が設置された状態で、水平方向に沿って配置されることになる。回路基板４２は、例えば、ねじ留め等によって固定部５０に固定されてもよいし、あるいは、接着剤によって固定部５０に固定されてもよい。
【００３７】
回路基板４２においてアンテナ１４が実装された端部とは反対側の端部の表面には、無線部１６が実装されている。無線部１６は、アンテナ１４で受信した電波信号から設定信号を抽出して、回路基板４２上に形成されたパターン配線等を介して制御部１８に入力する。
【００３８】
無線部１６が実装された回路基板４２の端部は、取付部材４０の本体部４８から突出して配置されており、この突出した端部を覆ってカバー４４が設けられている。カバー４４は、例えば、嵌め込み等によって固定部５０に取り付けられる。カバー４４は、例えば、樹脂によって形成されている。
【００３９】
取付部材４０は、回動軸５２を有する。回動軸５２は、円柱状をなし、一方の脚部４６上に立設されるとともに、本体部４８と連結されている。図３（ｂ）に示すように、回動軸５２の先端部５２ａは、筐体２２の底板２６を貫通して下方に突出している。これにより、回動軸５２は、筐体２２の底板２６に対して回動可能に支持されている。
【００４０】
回動軸５２の先端部５２ａを筐体２２の外部（下方）から回転操作することによって、筐体２２内で取付部材４０（すなわちアンテナ１４）を回動させることができる。すなわち、本実施形態では、回動軸５２の先端部５２ａが、アンテナ１４を回動操作するための操作子になっている。
【００４１】
なお、照明制御装置１０においてアンテナ１４を第１位置と第２位置とに移動させるための操作子が回動軸５２の先端部５２ａによって操作摘みのような形態に構成される例について説明したが、これに限定されるものではない。アンテナを含む無線モジュールを回動させる操作子は、操作レバー、操作ハンドル、操作グリップ等の種々の形態であってもよい。
【００４２】
図３（ｂ）に示すように、筐体２２の底板２６の下面には、扁平円筒状をなすボス部５４が例えば溶接等によって固定されている。回動軸５２の先端部５２ａは、ボス部５４を通って下方に突出している。ボス部５４には、径方向に貫通するねじ孔が形成され、このねじ孔にボルト５６が螺合されている。ボルト５６を緩めることで回動軸５２は回転操作可能な状態になる。他方、ボルト５６を締め付けると、ボルト５６のねじ部先端が先端部５２ａの外周面に押圧され、回動軸５２、すなわち取付部材４０を含む無線モジュール２０の回動位置が固定される。本実施形態におけるボス部５４およびボルト５６は、無線モジュール２０を構成する取付部材４０の回動位置を固定する固定手段の一例である。同様の機能を果たす如何なる構成が用いられてもよい。
【００４３】
再び図２を参照すると、筐体２２の上壁面２８には、第１スリットＳ１および第２スリットＳ２が形成されている。第１および第２スリットＳ１，Ｓ２は、上壁面２８を貫通する細幅の開口によって形成される。
【００４４】
第１スリットＳ１は、照明制御装置１０の幅方向（Ｘ方向）に沿った第１方向に直線状に伸びている。これに対し、第２スリットＳ２は、第１スリットＳ１とは異なる第２方向に伸びて形成されている。具体的には、第２スリットＳ２は、第１スリットＳ１に対して角度θをなす第２方向に延伸する第１直線部Ｓ２ａと、この第１直線部Ｓ２ａから屈曲して第１スリットＳ１と平行に延伸する第２直線部Ｓ２ｂとを含む。本実施形態では、第２スリットＳ２の第１直線部Ｓ２ａと第１スリットＳ１とがなす角度θが４５度である例が示されている。ただし、これに限定されるものではなく、上記角度θは例えば３０°〜９０°の範囲内で適宜に設定されてもよい。
【００４５】
第１スリットＳ１の幅方向長さは、リモートコントローラ２（図１参照）から放射される電波の周波数に対応する波長λの１／２以上に設定されるのが好ましい。具体例として、電波の周波数が９００ＭＨｚ帯である場合、第１スリットＳ１の幅方向長さは約１６０ｍｍ以上に設定するのが好適である。これにより、筐体２２内に収容された無線モジュール２０のアンテナ１４による通信品質が向上する。同様の理由から、第２スリットＳ２の全長もまた、λ／２以上に設定されるのが好ましい。この場合の第２スリットＳ２の全長は、第１直線部Ｓ２ａと第２直線部Ｓ２ｂとの合計長さである。
【００４６】
図４（ａ）は無線モジュール２０を第１スリットＳ１に対応する第１位置に配置した状態を示す図であり、図４（ｂ）は無線モジュール２０を第２スリットＳ２に対応する第２位置に配置した状態を示す図である。
【００４７】
図４（ａ）に示すように、無線モジュール２０が第１スリットＳ１に対応する第１位置に配置されているとき、無線モジュール２０のアンテナ１４が第１スリットＳ１に対向している。この場合、照明制御装置１０を上方から見た投影面上で、アンテナ１４の励振方向ＲＤが第１スリットＳ１の延伸方向と直交するのが好適である。ここで「直交」とは、完全に９０°をなす場合の他に、実質的に垂直であるとみなせる角度範囲（例えば、±数度）を含む。このことは、無線モジュール２０が後述する第２位置へ移動した場合も同様である。このように第１スリットＳ１に対してアンテナ１４の励振方向ＲＤを設定することで、第１スリットＳ１を介して筐体２２内に入射した電波をアンテナ１４で良好に受信することができ、通信品質が良好となる。
【００４８】
照明制御装置１０は、製造元から出荷されるとき、無線モジュール２０は第１スリットＳ１に対応する第１位置に配置されている。照明制御装置１０が、照明器具Ｌと共に、例えば、工場、倉庫、体育館等の施設の天井に設置されたとき、リモートコントローラ２からの受信環境が悪い場所に設置されることがある。例えば、照明制御装置１０の設置場所の近くに金属製の梁などがあることで、電波を受信しにくい状況が起こり得る。
【００４９】
このような場合、施工業者等が回動軸５２の先端部５２ａを回動操作することによって、無線モジュール２０の位置を、上記第１位置から、第２スリットＳ２に対応する第２位置に移動させる。このとき、無線モジュール２０のアンテナ１４が第２スリットＳ１の第１直線部Ｓ２ａに対向した位置となる。この場合、照明制御装置１０を上方から見た投影面上で、アンテナ１４の励振方向ＲＤが第２スリットＳ２の第１直線部Ｓ２ａの延伸方向と直交するのが好適である。なお、上壁面２８の下面には図示しないストッパが固定されており、無線モジュール２０が第１位置から第２位置に回動したとき取付部材４０の本体部４８にストッパが当接することで、無線モジュール２０が第２位置に止められる。また、第２位置から第１位置へ無線モジュール２０を回動させたときに取付部材４０の本体部４８に当接して停止させるストッパも設けられている。
【００５０】
図５は、第１スリット使用時と第２スリット使用時のアンテナ水平面およびアンテナ垂直面における電波強度を示す図である。ここで「アンテナ水平面」とは、回路基板４２のアンテナ形成領域の表面に沿った平面（図２に示す第１位置におけるＸ−Ｙ平面に相当）であり、「アンテナ垂直面」とは回路基板４２のアンテナ形成領域の表面と直交する励振方向ＲＤを含む平面（図２に示す第１位置におけるＹ−Ｚ平面に相当）である。図５では、垂直偏波の利得を破線で示し、水平偏波の利得を一点鎖線で示し、合計の利得を実線で示している。図５に示すように、無線モジュール２０を第１位置から第２位置に変更したとき、各偏波の位相が変化するとともに利得が２．５〜３ｄＢ程度、変化することが確認できた。
【００５１】
図６は、金属製の梁Ｂがある天井Ｃに設置された照明制御装置１０において、（ａ）はアンテナが第１位置に配置されているときの電波強度との関係を示す図であり、（ｂ）はアンテナが第２位置に配置されたときの電波強度との関係を示す図である。図６では、点描を付した領域または位置で電波強度が比較的強いことを表している。
【００５２】
図６（ａ）に示すように、無線モジュール２０のアンテナ１４が第１位置にあるとき、リモートコントローラ２から放射された電波が金属製の梁Ｂに妨害されることによって、アンテナ１４の位置における電波強度が小さくなることがある。この場合、第１位置におけるアンテナ１４の位置が電波の定在波形における「節」に相当する位置またはその近傍にあると、受信環境が悪くなり、照明器具Ｌの点灯、消灯、調光等の制御が困難になることがある。
【００５３】
そのような場合に、無線モジュール２０を回動させて第１位置から第２位置に変更する。これにより、図６（ｂ）に示すように、アンテナ１４の位置および向きが変わることで、電波強度が比較的強い領域（定在波波形の「腹」またはその近傍に相当する位置）にアンテナ１４が移動する。その結果、アンテナ１４による受信特性が改善され、照明制御装置１０の通信品質が向上し、照明器具Ｌの動作制御を良好に行うことができる。
【００５４】
上述したように、本実施形態の照明制御装置は、第１方向に伸びる第１スリットＳ１と、第１方向と異なる方向に伸びる第２スリットＳ２とが、上壁面２８に形成された金属製の筐体２２と、筐体２２の内部に収容され、回動可能に設けられるアンテナ１４と、アンテナ１４で受信した外部信号に基づいて光源の動作状態を制御する制御部１８とを備える。そして、アンテナ１４は、第１スリットＳ１に対向する第１位置と、第２スリットＳ２に対向する第２位置とに回動可能である。この構成によれば、第１位置での受信環境が悪い場合にアンテナ１４を第２位置に変更することで、アンテナ１４による受信特性が改善され、照明制御装置１０の通信品質を向上させることができる。
【００５５】
本実施形態の照明制御装置１０において、アンテナ１４は励振方向ＲＤを有し、アンテナ１４が第１位置に配置されたとき励振方向ＲＤが第１方向に対して投影面上で直交し、アンテナ１４が第２位置に配置されたとき励振方向ＲＤが第２方向に対して投影面上で直交する関係にあるのが好ましい。このように構成すれば、各スリットＳ１，Ｓ２を介して筐体２２の内部に入射する電波を良好に受信することが可能になる。
【００５６】
また、本実施形態の照明制御装置１０において、アンテナ１４に電気的に接続された無線部１６をさらに備え、無線部１６はアンテナ１４と共に回動するのが好ましい。このように、アンテナ１４と無線部１６とを例えば、回路基板４２に実装して一体に回動可能な構成とすることで、アンテナ１４および無線部１６を含む無線モジュールの小型化、ひいては照明制御装置１０を小型化することができる。
【００５７】
また、本実施形態の照明制御装置１０において、アンテナ１４は取付部材４０に取り付けられ、取付部材４０は筐体２２に対して回動可能に支持された回動軸５２を有するのが好ましい。この構成によれば、回動軸５２を用いてアンテナ１４を第１位置から第２位置へ、または、その逆へ容易かつ安定して回動移動させることができる。
【００５８】
また、本実施形態の照明制御装置１０において、アンテナ１４を回動させる回動軸５２の先端部５２ａが筐体２２の外部に設けられていることが好ましい。この構成によれば、筐体２２の外部からアンテナ１４の位置を第１位置と第２位置とに容易に変更できる。
【００５９】
また、本実施形態の照明制御装置１０において、第２スリットＳ２は第２方向に沿った第１直線部Ｓ２ａと第２方向から屈曲して延伸する第２直線部Ｓ２ｂとを含んでもよい。この構成によれば、スリット全長を直線状にλ／２以上確保できない筐体２２の大きさであっても、第２スリットＳ２の全長をλ／２以上とすることができ、アンテナ１４の受信特性を良好にできる。
【００６０】
また、本実施形態の照明制御装置１０において、第１スリットＳ１および第２スリットＳ２は、筐体２２の同じ外壁面である上壁面２８に形成されている例について説明した。これに代えて、筐体２２は互いに対向する一対の外壁面として上壁面２８および底板２６を有し、第１スリットＳ１および第２スリットＳ２は上壁面２８および底板２６にそれぞれ形成されていても良い。このように構成すれば、筐体２２の内部に収容したアンテナ１４による受信特性を一層向上させることができる。なお、第１スリットＳ１および第２スリットＳ２は、筐体２２の底板２６のみに形成されていても良い。
【００６１】
さらに、本実施形態の照明器具Ｌは、上記いずれかの構成の照明制御装置１０と、照明制御装置１０によって動作状態が制御される光源とを備えてもよい。
【００６２】
次に、図７Ａ，７Ｂおよび図８を参照して、本実施形態の照明制御装置１０の変形例について説明する。以下においては、上述した実施形態と同一または類似の要素に同一または類似の符号を付して説明を省略し、主として相違する点について説明する。
【００６３】
図７Ａは、照明制御装置１０の筐体２２Ａの上壁面２８に３本のスリットＳ１，Ｓ２，Ｓ３が形成された変形例を示す図である。図７Ａに示すように、筐体２２Ａの上壁面には、第１スリットＳ１、第２スリットＳ２および第３スリットＳ３が形成されている。第１および第２スリットＳ１，Ｓ２は、上述した実施形態と同様である。第３スリットＳ３は、第１直線部Ｓ３ａ、第２直線部Ｓ３ｂおよび第３直線部Ｓ３ｃを含む。
【００６４】
第１直線部Ｓ３ａは、第１及び第２スリットＳ１，Ｓ２とは更に異なる第３方向に延伸する。具体的には、第３方向は、例えば、第１方向に対して９０°をなす方向であり、第２スリットＳ２の第１直線部Ｓ２ａに対して４５°をなす方向である。第２直線部Ｓ３ｂは、第１直線部Ｓ３ａから例えば４５°だけ屈曲して延伸する。第３直線部Ｓ３ｃは、第２直線部Ｓ３ｂから例えば、４５°だけ更に屈曲して第１スリットＳ１と平行に延伸する。第３スリットＳ３の全長、すなわち、第１ないし第３直線部Ｓ３ａ，Ｓ３ｂ，Ｓ３ｃの合計長さは、リモートコントローラ２（図１参照）から放射される電波の周波数に対応する波長λの１／２以上に設定されるのが好ましい。
【００６５】
この変形例の場合、アンテナ１４を含む無線モジュール２０の位置を、第１スリットＳ１に対応する第１位置、第２スリットＳ２に対応する第２位置、および、第３スリットＳ３に対応する第３位置に回動移動させることができる。無線モジュール２０が第３位置に配置されたとき、筐体２２Ａを上方から見た投影面上で、アンテナ１４の励振方向ＲＤが第３スリットＳ３の第１直線部Ｓ３ａと直交するのが好適である。このようにスリット数を３以上とすることで、アンテナ１４の変更可能位置が増加し、アンテナ受信特性の調整代を広げることができる。
【００６６】
なお、上記第１、第２および第３スリットＳ１，Ｓ２，Ｓ３は、筐体２２Ａを構成する底板２６にも形成されてもよい。
【００６７】
図７Ｂは、照明制御装置１０の筐体２２Ｂの上壁面２８と底板２６に２本のスリットが異なる位置関係で形成された変形例を示す図である。筐体２２Ｂは、互いに対向する上壁面２８および底板２６を有する。上壁面２８および底板２６には、第１スリットＳ１，Ｓ１´および第２スリットＳ２，Ｓ２´がそれぞれ形成されている。上壁面２８に形成された第１および第２スリットＳ１，Ｓ２は、底板２６に形成された第１および第２スリットＳ１´，Ｓ２´とは、筐体２２Ｂを上方から見た投影面上で互いにずれた位置に形成されている。
【００６８】
具体的には、底板２６の第１スリットＳ１´は、上壁面２８の第１スリットＳ１と第２スリットＳ２の間の位置関係で直線状にλ／２の長さで伸びている。底板２６の第２スリットＳ２´は、図７Ａを参照して説明した筐体２２Ａの第３スリットＳ３と同じ形状に形成されている。
【００６９】
このように本変形例の構成によれば、筐体２２Ｂの上壁面２８と底板２６とで合計４本のスリットＳ１，Ｓ１´，Ｓ２，Ｓ２´が形成されており、アンテナ位置を第１ないし第４位置に変更可能になる。これにより、アンテナ１４の変更可能位置が増加し、アンテナ受信特性の調整代を広げることができる。なお、上壁面２８および底板２６のいずれか一方だけに上記４本のスリットＳ１，Ｓ１´，Ｓ２，Ｓ２´を形成してもよい。
【００７０】
次に、図８を参照して、別の変形例について説明する。図８に示すように、第２スリットＳ２は、照明制御装置１０の筐体２２Ｃの上壁面２８から側壁面３４へと跨って形成されてもよい。この場合、第１スリットＳ１は、上壁面２８に直線状に形成されていることは上記実施形態と同様である。
【００７１】
また、この場合の回動軸５２の先端部５２ａは、筐体２２Ｃの側壁面３０に設けられたボス部５４を介して側方に突出している。図８では、アンテナ１４を含む無線モジュール２０が第１スリットＳ１に対応する第１位置にある。この状態から、回動軸５２の先端部５２ａを矢印方向に９０°回転させることで、アンテナ１４が第２スリットＳ２のうち側壁面３４に形成された部分に対向した第２位置となる。この変形例のように、第２スリットＳ２の形成位置およびアンテナ１４の回動方向を変更しても、上述した実施形態と同様の効果を奏することができる。なお、この場合、第２スリットＳ２を側壁面３４だけに幅方向（Ｘ方向）に沿って直線状に形成し、第２位置になったときにアンテナ１４の励振方向が側壁面３４の第２スリットＳ２に側方から見た投影面上で直交するように構成してもよい。
【００７２】
次に、図９ないし図１１を参照して、さらに別の変形例について説明する。図９は、照明制御装置１０が一体に設けられた照明器具Ｌを示す下面図である。図１０は、図９の照明制御装置１０の上壁面に、（ａ）４本のスリットが形成された例を示す図であり、（ｂ）は第２スリットが略Ｕ字状に屈曲して形成されている例を示す図である。以下では、上述した実施形態と同一または類似の要素に同一または類似の符号を付して説明を省略し、主として相違する点について説明する。
【００７３】
図９に示すように、照明器具Ｌは、例えば、天井等に設置される。照明器具Ｌは、下方から見たとき、長方形状をなす器具本体６０と、器具本体６０の短手方向中央部に長手方向に延伸して設けられる発光部６２とを備える。発光部６２は、図示しない光源と、透光性のカバーとによって構成される。
【００７４】
照明制御装置１０は、照明器具Ｌの設置状態で、器具本体６０の上面に例えばねじ等によって一体に取り付けられている。照明制御装置１０を構成する金属製の筐体２２は、器具本体６０よりも短い短手方向長さを有する直方体状に形成されている。
【００７５】
図１０（ａ）に示すように、照明制御装置１０の筐体２２の上壁面２８には、第１ないし第４スリットＳ１，Ｓ２，Ｓ３，Ｓ４が放射状または扇状に形成されてもよい。第１ないし第４スリットＳ１，Ｓ２，Ｓ３，Ｓ４は、それぞれ異なる方向に直線状に伸びて形成されている。この場合、筐体２２の内部に収容された無線モジュール２０のアンテナ１４は、第１ないし第４スリットＳ１，Ｓ２，Ｓ３，Ｓ４に対応する第１ないし第４位置に回動移動可能である。
【００７６】
また、図１０（ｂ）に示すように、照明制御装置１０の筐体２２の上壁面２８には、直線状をなす第１スリットＳ１と、第１スリットＳ１とは異なる方向に伸びて途中で略Ｕ字状（またはクランク状）に屈曲した第２スリットＳ２とが形成されてもよい。なお、第２スリットＳ２の屈曲の仕方は、種々の形状に変更可能である。
【００７７】
このように照明制御装置１０が一体となった照明器具Ｌは、それぞれが別体である場合に比べて、設置が短時間で容易に行える利点がある。
【００７８】
図１１は、照明制御装置１０が一体に設けられた照明器具Ｌにおいて、照明制御装置１０の側壁面に２本のスリットが形成されている例を示す図である。図１１に示すように、照明器具Ｌは、２つの発光部６４を備える。各発光部６４は、図示しない光源と、透光性のカバーによって構成される。各発光部６４は、取付板６６にボルトで留められて一体の物として構成されている。
【００７９】
取付板６６は、ブラケット６８を介して例えば体育館等の施設の天井に取り付けられる。また、取付板６６の上部には、設置板７０が固定されており、この設置板７０の上面に照明制御装置１０が設置されている。
【００８０】
この変形例の照明制御装置１０では、筐体２２の側壁面３４に第１および第２スリットＳ１，Ｓ２が形成されている。第１および第２スリットＳ１，Ｓ２は、上述した実施形態と同様の形状に形成することができる。
【００８１】
このように照明制御装置１０が一体化された照明器具Ｌによっても、上述した実施形態と同様の効果を奏することができるとともに、別体である場合に比べて設置が短時間で容易に行える利点がある。
【００８２】
なお、本開示に係る照明制御装置およびこれを備えた照明器具は、上述した実施形態および変形例に限定されるものではなく、本願の特許請求の範囲に記載された事項の範囲内で種々の変更や改良が可能である。
【符号の説明】
【００８３】
１  照明システム、２  リモートコントローラ、１０  照明制御装置、１２  電線、１４  アンテナ、１６  無線部、１７  電線または配線、１８  制御部、２０  無線モジュール、２２，２２Ａ，２２Ｂ，２２Ｃ  筐体、２４  上側筐体部、２６  底板、２７  取付部、２８  上壁面（外壁面）、３０，３２，３４，３６  側壁面（外壁面）、３１，４９  開口部、４０  取付部材、４２  回路基板、４４  カバー、４６  脚部、４８  本体部、５０  固定部、５２  回動軸、５２ａ  先端部、５４  ボス部、５６  ボルト、６０  器具本体、６２，６４  発光部、６６  取付板、６８  ブラケット、７０  設置板、Ｌ，Ｌ１，Ｌ２，・・・，Ｌｎ  照明器具、ＲＤ  励振方向、Ｓ１  第１スリット、Ｓ２  第２スリット、Ｓ２ａ，Ｓ３ａ  第１直線部、Ｓ２ｂ，Ｓ３ｂ  第２直線部、Ｓ３  第３スリット、Ｓ３ｃ  第３直線部。
【図１】
2018195994.tif 000003
【図２】
2018195994.tif 000004
【図３】
2018195994.tif 000005
【図４】
2018195994.tif 000006
【図５】
2018195994.tif 000007
【図６】
2018195994.tif 000008
【図７Ａ】
2018195994.tif 000009
【図７Ｂ】
2018195994.tif 000010
【図８】
2018195994.tif 000011
【図９】
2018195994.tif 000012
【図１０】
2018195994.tif 000013
【図１１】
2018195994.tif 000014